(57)【要約】【課題】インターロックスイッチを備えた画像形成装置において、前記インターロックスイッチにかかる荷重を軽減することができる画像形成装置を提供する。【解決手段】画像形成装置１は、開口部２Ａを有する筐体２と、開口部２Ａを塞ぐ閉位置と開口部２Ａを開放する開位置との間で変位するフロントカバー２１と、スイッチ本体５７ａとスイッチ本体５７ａに対して出没可能な凸部５７ｂとを有し、筐体２の側部フレーム２４に取り付けられるインターロックスイッチ５７と、凸部５７ｂと直接的又は間接的に当接可能であり、フロントカバー２１の変位に連動して、凸部５７ｂに当接する当接位置と凸部５７ｂから離間する離間位置との間で変位するレバー９１とを備え、側部フレーム２４は、レバー９１が前記当接位置に変位したときに、凸部５７ｂがスイッチ本体５７ａに没入する方向へのレバー９１の変位動作を規制する規制面２４ｂを備える。【選択図】図１１
2018041043.tif 000002
【特許請求の範囲】
【請求項１】
開口部を有する筐体と、
前記開口部を塞ぐ閉位置と前記開口部を開放する開位置との間で変位するカバーと、
スイッチ本体と前記スイッチ本体に対して出没可能な凸部とを有し、前記筐体に取り付けられるインターロックスイッチと、
前記凸部と直接的又は間接的に当接可能であり、前記カバーの変位に連動して、前記凸部に当接する当接位置と前記凸部から離間する離間位置との間で変位するレバーとを備え、
前記筐体は、前記レバーが前記当接位置に変位したときに、前記凸部が前記スイッチ本体に没入する方向への前記レバーの変位動作を規制する規制部を備える、
ことを特徴とする画像形成装置。
【請求項２】
前記規制部は、前記凸部に対して、前記レバーの変位方向と直交する方向に並設される、
ことを特徴とする請求項１に記載の画像形成装置。
【請求項３】
前記レバーは、前記凸部と直接的に当接可能である、
ことを特徴とする請求項１又は請求項２に記載の画像形成装置。
【請求項４】
前記レバーは、前記凸部と前記規制部とに当接可能なリブを有する、
ことを特徴とする請求項１〜請求項３の何れか一項に記載の画像形成装置。
【請求項５】
画像形成部と、
前記画像形成部を駆動する駆動源と、
前記画像形成部と前記駆動源とを連結する連結位置と、前記画像形成部と前記駆動源との連結を解除する解除位置との間で変位するカムと、
前記カムと前記カバーとを連結し、前記カバーの変位に連動して前記カムを変位させるリンク部材とを備え、
前記カムが前記解除位置に変位すると、前記レバーは前記カムと当接して前記当接位置に変位する、
ことを特徴とする請求項１〜請求項４の何れか一項に記載の画像形成装置。
【請求項６】
前記レバーには、前記カム側に突出し、前記カムと当接可能な弾性部材が設けられており、
前記弾性部材は、前記カムと当接することにより前記レバーを前記凸部側へ付勢する、
ことを特徴とする請求項５に記載の画像形成装置。
【請求項７】
前記レバーと前記カムとが当接する際の、前記レバーの変位方向と前記カムの変位方向とは、互いに交差する方向である、
ことを特徴とする請求項５又は請求項６に記載の画像形成装置。
【請求項８】
前記カムは、第１回動軸を中心として回動することにより前記連結位置と前記解除位置との間で変位し、
前記レバーは、前記第１回動軸とは異なる第２回動軸を中心として回動することより、前記当接位置と前記離間位置との間で変位する、
ことを特徴とする請求項７に記載の画像形成装置。
【発明の詳細な説明】
【技術分野】
【０００１】
本発明は、インターロックスイッチを備えた画像形成装置に関する。
【背景技術】
【０００２】
従来、電子写真方式の画像形成装置においては、筐体内部にレーザ光照射装置及びインターロックスイッチを備え、前記筐体を開閉するカバーが開くと、前記レーザ光照射装置からのレーザ光の照射が前記インターロックスイッチにより停止されるように構成された画像形成装置が知られている（特許文献１参照）。
【０００３】
前記インターロックスイッチは、スイッチ本体と、前記スイッチ本体から出没可能な凸部と、前記凸部に当接して前記凸部をスイッチ本体に押し込むための板バネとを備えており、前記スイッチ本体は前記筐体のフレームに取り付けられている。
前記画像形成装置は、前記筐体のカバーを閉じた際に、前記板バネにより前記凸部を押し込んで前記インターロックスイッチをオンさせることにより、前記レーザ光照射装置からのレーザ光の照射を可能とするように構成されている。
【０００４】
このように、板バネにより突起を押し込むことで前記インターロックスイッチをオンさせる構成の場合、筐体のカバーが閉じた状態では、前記板バネが常に前記凸部を押圧しているため、前記凸部が設けられているスイッチ本体も常に前記板バネにより押圧される状態となっている。
【先行技術文献】
【特許文献】
【０００５】
【特許文献１】特開２０１１−１３８６７９号公報
【発明の概要】
【発明が解決しようとする課題】
【０００６】
前述のように、筐体のカバーが閉じた状態で常に板バネが凸部を押圧する構成では、スイッチ本体に板バネからの荷重がかかったままとなるため、前記スイッチ本体の前記フレームに対する取り付け位置が前記荷重によりずれるおそれがある。
前記スイッチ本体の前記フレームに対する取り付け位置がずれると、前記カバーの開閉に伴う前記インターロックスイッチの作動精度が低下し、前記インターロックスイッチが誤作動する原因となる。
【０００７】
そこで、本発明は、インターロックスイッチを備えた画像形成装置において、前記インターロックスイッチにかかる荷重を軽減することができる画像形成装置を提供するものである。
【課題を解決するための手段】
【０００８】
上記課題を解決する画像形成装置は、以下の特徴を有する。
即ち、画像形成装置は、開口部を有する筐体と、前記開口部を塞ぐ閉位置と前記開口部を開放する開位置との間で変位するカバーと、スイッチ本体と前記スイッチ本体に対して出没可能な凸部とを有し、前記筐体に取り付けられるインターロックスイッチと、前記凸部と直接的又は間接的に当接可能であり、前記カバーの変位に連動して、前記凸部に当接する当接位置と前記凸部から離間する離間位置との間で変位するレバーとを備え、前記筐体は、前記レバーが前記当接位置に変位したときに、前記凸部が前記スイッチ本体に没入する方向への前記レバーの変位動作を規制する規制部を備える。
【発明の効果】
【０００９】
本発明によれば、インターロックスイッチにかかるレバーからの押圧力を低減して、インターロックスイッチの作動精度を保持することが可能となる。
【図面の簡単な説明】
【００１０】
【図１】画像形成装置を示す中央断面図である。
【図２】フロントカバーを閉じた状態の画像形成装置を示す斜視図である。
【図３】フロントカバーを開いた状態の画像形成装置を示す斜視図である。
【図４】インターロックスイッチを示す斜視図である。
【図５】（ａ）はフロントカバーが開位置にあるときのインターロックスイッチの操作機構を示す斜視図であり、（ｂ）はフロントカバーが閉位置にあるときのインターロックスイッチの操作機構を示す斜視図である。
【図６】（ａ）はフロントカバーが開位置にあるときのインターロックスイッチの操作機構を示す側面図であり、（ｂ）はフロントカバーが閉位置にあるときのインターロックスイッチの操作機構を示す側面図である。
【図７】モータと画像形成部の駆動機構との連結状態と連結解除状態とをカム部材及びカップリング部材により切り替える機構を示す底面断面図であって、（ａ）は連結解除状態を示す底面断面図、（ｂ）は連結状態を示す底面断面図である。
【図８】フロントカバーが開位置から閉位置に向けて回動する過程における、インターロックスイッチの操作機構の動作を示す側面図である。
【図９】（ａ）はレバーの下面に当接するスイッチ操作用カム部がバネの当接端部に乗り上げる前の状態を示す側面断面図であり、（ｂ）はレバーの下面に当接するスイッチ操作用カム部がバネの当接端部に乗り上げた後の状態を示す側面断面図である。
【図１０】凸部と規制面との両方に当接するレバーの当接部を示す斜視図である。
【図１１】凸部と規制面との両方に当接するレバーの当接部を示す背面断面図である。
【発明を実施するための形態】
【００１１】
次に、本発明を実施するための形態を、添付の図面を用いて説明する。
【００１２】
[画像形成装置の全体構成]
図１〜図３に示す画像形成装置１は、本発明に係る画像形成装置の一実施形態であり、筐体２と、シートＳに画像を形成する画像形成部５と、シートＳを画像形成部５に供給する給紙部３と、画像形成部５を駆動する駆動源の一例であるモータ１１とを備えている。
【００１３】
なお、以下の説明においては、図１における右側を画像形成装置１の前側、図１における左側を画像形成装置１の後側と規定し、図１における紙面手前側を画像形成装置１の右側、図１における紙面奥側を画像形成装置１の左側と規定する。また、図１における上下方向を画像形成装置１の上下方向と規定する。
【００１４】
筐体２は、略直方体形状に形成される箱体であり、前面に開口する開口部２Ａを有している。筐体２は、給紙部３及び画像形成部５を収容している。筐体２内における右側部には、側部フレーム２４が配置されている。
筐体２の上面には、前側から後側へ向かって下り傾斜するように凹む排紙トレイ２５が形成されている。
【００１５】
画像形成装置１は開口部２Ａを開閉可能なフロントカバー２１を備えている。フロントカバー２１は、下端部の回動軸２１ａを中心として回動可能に構成されており、回動軸２１ａを中心として回動することにより、開口部２Ａを塞ぐ閉位置(図２に示す回動位置)と開口部２Ａを開放する開位置（図３に示す回動位置）との間で変位することが可能である。
【００１６】
フロントカバー２１は、シートＳを手差し可能な手差しスロット２３、及び手差しスロット２３を開閉可能な手差しスロットカバー２２を有している。手差しスロットカバー２２は、下端部の回動軸２２ａを中心として回動可能であり、回動軸２２ａを中心として回動することにより、手差しスロット２３を塞ぐ閉位置と手差しスロット２３を開放する開位置との間で変位することが可能である。
【００１７】
給紙部３は、シートカセット３１と、給紙ローラ３２と、分離ローラ３３と、分離パッド３３ａと、レジストローラ対３５ａ・３５ｂとを備えている。筐体２内には、シートカセット３１から画像形成部５を経由して排紙トレイ２５へ至る搬送経路Ｐが構成されている。
【００１８】
シートカセット３１は、複数枚のシートＳを積層状態で収容している。シートカセット３１に収容されるシートＳは、給紙ローラ３２により分離ローラ３３側へ繰り出されるとともに、分離ローラ３３及び分離パッド３３ａにより一枚ずつ分離されて搬送経路Ｐに送り出される。
【００１９】
搬送経路Ｐに送り出されたシートＳは、搬送経路Ｐにおける分離ローラ３３よりも下流側に配置されるレジストローラ対３５ａ・３５ｂにより、画像形成部５に向けて搬送される。レジストローラ対３５ａ・３５ｂは、搬送されるシートＳの先端の移動を規制して一旦停止させた後、シートＳを所定のタイミングにて画像形成ユニット５の転写位置に向けて搬送する。
【００２０】
画像形成ユニット５はシートカセット３１の上方に配置されており、供給ユニット３から搬送されてきたシートＳの表面に画像を転写するプロセスカートリッジ５０と、プロセスカートリッジ５０の感光体ドラム５４の表面を露光する露光ユニット５６と、プロセスカートリッジ５０によりシートＳに転写された画像を定着させる定着ユニット６０とを備えている。
【００２１】
プロセスカートリッジ５０は、現像ローラ５３と、感光体ドラム５４と、転写ローラ５５等とを備えている。
露光ユニット５６は、レーザダイオード、ポリゴンミラー、レンズ、及び反射鏡等を備えており、画像形成装置１に入力された画像データに基づいてレーザ光を感光体ドラム５４へ向けて照射することにより、感光体ドラム５４の表面を露光する。
【００２２】
露光ユニット５６にはインターロックスイッチ５７が接続されている。インターロックスイッチ５７は、フロントカバー２１が閉位置にあるときにオンして露光ユニット５６からのレーザ光の照射を可能とし、フロントカバー２１が開位置にあるときにオフして露光ユニット５６からのレーザ光の照射を停止するように構成されている。インターロックスイッチ５７は、側部フレーム２４に取り付けられている。
【００２３】
感光体ドラム５４は、現像ローラ５３に隣接して配置されている。感光体ドラム５４の表面は、図示しない帯電器により一様に正帯電された後、露光ユニット５６により露光される。感光体ドラム５４の露光された部分は他の部分よりも電位が低くなり、感光体ドラム５４に画像データに基づく静電潜像が形成される。
そして、静電潜像が形成された感光体ドラム５４の表面に、正に帯電されたトナーが現像ローラ５３から供給されることにより、静電潜像が顕像化されて現像剤像となる。
【００２４】
転写ローラ５５は、感光体ドラム５４に対向配置され、図示しないバイアス印加手段により負の転写バイアスが印加される。転写ローラ５５の表面に転写バイアスがされている状態で、現像剤像が形成された感光体ドラム５４と転写ローラ５５との間（転写位置）でシートＳを挟持しなから搬送することにより、感光体ドラム５４の表面に形成された現像剤像がシートＳの表面に転写される。
【００２５】
定着ユニット６０は、加熱ローラ６１と加圧ローラ６２とを備えている。加熱ローラ６１はモータ１１からの駆動力により回転駆動され、加熱ローラ６１は図示しない電源から電力を供給することで加熱される。加圧ローラ６２は加熱ローラ６１に対向配置されており、加熱ローラ６１に密着して従動回転する。現像剤像が転写されたシートＳが定着ユニット６０に搬送されてくると、加熱ローラ６１と加圧ローラ６２との間でシートＳを挟持しながら搬送し、シートＳに現像剤像を定着させる。
【００２６】
排出ユニット７は排出ローラ対７１・７１を備えており、定着ユニット６０から搬送されてくるシートＳを筐体２の外部へ向けて排出する。具体的には、定着ユニット６０から搬送されてくるシートＳを、排出ローラ対７１・７１により排紙トレイ２５に排出する。
【００２７】
[インターロックスイッチの操作機構]
次に、インターロックスイッチ５７の操作機構について説明する。
図４に示すように、インターロックスイッチ５７は、スイッチ本体５７ａと、スイッチ本体５７ａに対して出没可能に突出する凸部５７ｂとを有している。インターロックスイッチ５７は、凸部５７ｂがスイッチ本体５７ａから突出しているときにはオフされ、凸部５７ｂがスイッチ本体５７ａに没入しているときにはオンされるように構成されている。
【００２８】
凸部５７ｂは、スイッチ本体５７ａから突出する方向に付勢されており、凸部５７ｂに外力が作用していない自然状態では、スイッチ本体５７ａから突出した状態となっている。インターロックスイッチ５７は、凸部５７ｂがスイッチ本体５７ａの下面から下方へ向けて突出する姿勢で、側部フレーム２４の外側面に取り付けられている（図６参照）。
【００２９】
図５、図６に示すように、側部フレーム２４の外側面におけるインターロックスイッチ５７の下方には、レバー９１が回動軸９１ａを中心として回動可能に取り付けられている。回動軸９１ａは、第２回動軸の一例である。
レバー９１は、回動軸９１ａを中心に上方へ回動して凸部５７ｂに当接する当接位置（図５（ｂ）参照）と、回動軸９１ａを中心に下へ回動して凸部５７ｂから離間する離間位置（図５（ａ）参照）との間で変位することが可能となっている。
【００３０】
レバー９１の上面には、レバー９１が当接位置に変位したときに凸部５７ｂと当接する当接部９１ｂが形成されている。当接部９１ｂはリブの一例である。
レバー９１が当接位置に変位して当接部９１ｂが凸部５７ｂに当接すると、凸部５７ｂは当接部９１ｂに押圧されてスイッチ本体５７ａに没入し、インターロックスイッチ５７がオンする。また、レバー９１が離間位置に変位して当接部９１ｂが凸部５７ｂから離間すると、凸部５７ｂに作用する付勢力によりスイッチ本体５７ａから突出し、インターロックスイッチ５７がオフする。
【００３１】
このように、本実施形態においては、レバー９１の当接部９１ｂが凸部５７ｂと直接的に当接するように構成しているため、例えばレバー９１が板バネを介して凸部５７ｂに当接するように構成した場合に比べて、インターロックスイッチ５７の作動精度を向上することができる。
但し、画像形成装置１においては、レバー９１が板バネを介して凸部５７ｂに当接するように構成することも可能である。
【００３２】
レバー９１の下面９１ｃからはバネ９２が延出している。バネ９２は弾性部材の一例である。
バネ９２の下端部は当接端部９２ａとして構成されており、当接端部９２ａがレバー９１側に押圧されると、レバー９１がバネ９２によりインターロックスイッチ５７を押圧する側へ付勢されるように構成されている。
【００３３】
図５〜図７に示すように、レバー９１の下方にはカム部材８２が配置されている。カム部材８２は、左右方向に延びる回動軸Ｐを中心として回動可能なように、側部フレーム２４のカム支持部２４ａに支持されている。カム部材８２は、カムの一例であり、回動軸Ｐは第１回動軸の一例である。
【００３４】
カム部材８２は、カム支持部２４ａの外周側に位置するスイッチ操作用カム部８２ａと、カム支持部２４ａの内周側に位置する駆動力断続用カム部８２ｂとを備えている。スイッチ操作用カム部８２ａと駆動力断続用カム部８２ｂとはアーム８２ｃにより接続されており、回動軸Ｐを中心として一体的に回転可能に構成されている。
【００３５】
スイッチ操作用カム部８２ａは、前後方向に延出するリンク部材８１によりフロントカバー２１と連結されており、回動軸Ｐを中心として回動することでレバー９１の下面９１ｃと当接可能に構成されている。
【００３６】
具体的には、スイッチ操作用カム部８２ａは、フロントカバー２１が閉位置から開位置に変位すると、リンク部材８１を介して前方へ回動されてレバー９１から離間する。フロントカバー２１が開位置にあって、スイッチ操作用カム部８２ａがレバー９１から離間した状態では、レバー９１は前記離間位置に変位する（図６（ａ）に示す状態）。
【００３７】
スイッチ操作用カム部８２ａは、フロントカバー２１が開位置から閉位置に変位すると、リンク部材８１を介して後方へ回動されてレバー９１の下面９１ｃに当接する。フロントカバー２１が閉位置にあって、スイッチ操作用カム部８２ａがレバー９１に当接した状態では、レバー９１は前記当接位置に変位する（図６（ｂ）に示す状態）。
【００３８】
駆動力断続用カム部８２ｂは、回動位置に応じて、モータ１１と画像形成部５との連結及び連結の解除を切り替えるためのカップリング部材８５を左右に移動させるカム部材である。駆動力断続用カム部８２ｂは、カム支持部２４ａの内周面に摺接しながら回動軸Ｐを中心に回動可能に構成されており、駆動力断続用カム部８２ｂには左右方向外側(図７における左側)から略円筒状に形成される摺動部材８３が嵌装されている。
【００３９】
摺動部材８３には外周側に突出する鍔部８３ａが形成されており、鍔部８３ａが左右方向外側から駆動力断続用カム部８２ｂに係止している。
摺動部材８３の内周部には、カップリング部材８５を支持する支持部材８４が嵌装されている。支持部材８４には外周側に突出する係止部８４ａが形成されており、係止部８４ａが左右方向外側から摺動部材８３に係止している。
【００４０】
支持部材８４は図示しない付勢部材により左右方向内側（図７における右側）に付勢されており、支持部材８４がこの付勢力により左右方向内側に移動すると、カップリング部材８５及び摺動部材８３も一体的に左右方向内側に移動する。カップリング部材８５が左右方向内側に移動すると、カップリング部材８５の先端部８５ａが側部フレーム２４の内側面２４ｄよりも左右方向内側へ突出することにより（図７（ｂ）参照）、カップリング部材８５が画像形成部５の駆動機構と接続される。カップリング部材８５は、モータ１１からの駆動力と連結されており、モータ１１と画像形成部５の駆動機構とが連結されることとなる。
【００４１】
一方、カップリング部材８５が左右方向内側に移動している状態から、摺動部材８３が駆動力断続用カム部８２ｂにより押圧されて左右方向外側に移動すると、支持部材８４及びカップリング部材８５も一体的に左右方向外側に移動する。カップリング部材８５が左右方向外側に移動すると、カップリング部材８５の先端部８５ａが側部フレーム２４の内側面２４ｄよりも左右方向外側に退避し(図７（ａ）参照)、カップリング部材８５と画像形成部５との間の駆動力の接続が解除される。カップリング部材８５と画像形成部５との間の駆動力の接続が解除されることにより、モータ１１と画像形成部５の駆動機構との連結が解除される。
【００４２】
このように、カップリング部材８５は、内側面２４ｄよりも左右方向内側へ突出して画像形成部５の駆動機構と連結される突出位置と、内側面２４ｄよりも左右方向外側に退避して画像形成部５の駆動機構との接続が解除される退避位置との間で変位可能に構成されており、カップリング部材８５の突出位置と退避位置とは、カム部材８２における駆動力断続用カム部８２ｂの回動位置に応じて切り替えられる。
【００４３】
この場合、フロントカバー２１が開位置にあり、スイッチ操作用カム部８２ａが前方へ回動してレバー９１から離間し、レバー９１が離間位置に変位しているときのカム部材８２の回動位置は、カップリング部材８５が駆動力断続用カム部８２ｂにより押圧されて退避位置に移動し、画像形成部５とモータ１１との連結が解除される解除位置となる。
【００４４】
また、フロントカバー２１が閉位置にあり、スイッチ操作用カム部８２ａが後方へ回動してレバー９１に当接し、レバー９１が当接位置に変位しているときのカム部材８２の回動位置は、カップリング部材８５が付勢部材の付勢力により突出位置に移動し、画像形成部５とモータ１１とが連結される連結位置となる。
【００４５】
以上のように、インターロックスイッチ５７の操作機構は、フロントカバー２１、リンク部材８１、カム部材８２、及びレバー９１により構成されている。そして、フロントカバー２１が閉位置にある状態では、カム部材８２のスイッチ操作用カム部８２ａがリンク部材８１を介して後方に回動されてレバー９１を上方へ押圧し、上方へ押圧されたレバー９１がインターロックスイッチ５７の凸部５７ｂに当接することで、インターロックスイッチ５７がオンされる。また、フロントカバー２１が開位置にある状態では、カム部材８２のスイッチ操作用カム部８２ａがリンク部材８１を介して前方に回動されてレバー９１から離間することにより、レバー９１が下方回動してインターロックスイッチ５７の凸部５７ｂから離間することで、インターロックスイッチ５７がオフされる。
【００４６】
[インターロックスイッチの操作機構の動作]
次に、インターロックスイッチの操作機構の動作について説明する。
まず、図６（ａ）に示すように、フロントカバー２１が開位置にある状態では、カム部材８２は解除位置に変位しており、スイッチ操作用カム部８２ａはリンク部材８１により前方へ回動されてレバー９１から離間している。
【００４７】
この状態においては、レバー９１は離間位置に変位しており、当接部９１ｂが凸部５７ｂから離間して、インターロックスイッチ５７がオフした状態となっている。
また、図７（ａ）に示すように、カップリング部材８５は、駆動力断続用カム部８２ｂにより左右方向外側に移動されて、側部フレーム２４の内側面２４ｄよりも左右方向外側に退避しており、カップリング部材８５と画像形成部５との間の駆動力の接続が解除されている。
【００４８】
この状態から、フロントカバー２１が閉位置に向けて回動すると、図８（ａ）に示すように、スイッチ操作用カム部８２ａがリンク部材８１により後方へ回動されて、レバー９１の下面９１ｃに当接し、レバー９１を上方へ回動させる。
また、駆動力断続用カム部８２ｂが回動軸Ｐを中心に回動することにより、カップリング部材８５が付勢部材の付勢力により左右方向内側に移動する。
【００４９】
図８（ａ）に示す状態からフロントカバー２１が閉位置に向けてさらに回動すると、図８（ｂ）に示すように、スイッチ操作用カム部８２ａの下面９１ｃに対する当接箇所がバネ９２に近接する側へ移動し、レバー９１をさらに上方へ回動させる。
また、駆動力断続用カム部８２ｂが回動軸Ｐを中心にさらに回動することにより、カップリング部材８５が付勢部材の付勢力によりさらに左右方向内側に移動する。
【００５０】
図８（ｂ）に示す状態からフロントカバー２１が閉位置に向けてさらに回動して閉位置に達すると、図６（ｂ）に示すように、スイッチ操作用カム部８２ａがバネ９２の当接端部９２ａに乗り上げて、スイッチ操作用カム部８２ａが当接端部９２ａを上方へ押圧する。当接端部９２ａがスイッチ操作用カム部８２ａにより上方へ押圧されると、レバー９１は上方へ回動されて当接位置に変位するとともに、バネ９２によりインターロックスイッチ５７に押圧される側へ付勢される。
【００５１】
このように、レバー９１が当接位置に変位すると、当接部９１ｂが凸部５７ｂに当接して凸部５７ｂがスイッチ本体５７ａに没入し、インターロックスイッチ５７がオンされる。
また、図７（ｂ）に示すように、駆動力断続用カム部８２ｂが回動軸Ｐを中心にさらに回動することにより、カップリング部材８５が付勢部材の付勢力によりさらに左右方向内側に移動して、側部フレーム２４の内側面２４ｄから左右方向内側に突出し、カップリング部材８５と画像形成部５の駆動機構とが接続される。
【００５２】
このように、スイッチ操作用カム部８２ａとフロントカバー２１とをリンク部材８１により連結して、フロントカバー２１の開閉動作に伴ってカム部材８２（スイッチ操作用カム部８２ａ及び駆動力断続用カム部８２ｂ）が回動するように構成することで、画像形成部５とモータ１１との連結及び連結解除の動作と、インターロックスイッチ５７の作動とを連動させることが可能となっている。
【００５３】
また、レバー９１をスイッチ操作用カム部８２ａにより押圧してインターロックスイッチ５７の凸部５７ｂに当接させる際の、スイッチ操作用カム部８２ａの変位方向は前後方向であり、レバー９１の変位方向は上下方向であって、互いの変位方向は交差している。従って、スイッチ操作用カム部８２ａによるレバー９１の凸部５７ｂ側への変位量の寸法誤差を減少することが可能となっている。
【００５４】
さらに、カム部材８２は回動軸Ｐを中心として回動することにより連結位置と解除位置との間で変位し、レバー９１は回動軸Ｐとは異なる回動軸９１ａを中心として回動することにより当接位置と離間位置との間で変位するように構成されているため、スイッチ操作用カム部８２ａによるレバー９１の凸部５７ｂ側への変位量の寸法誤差を減少することが可能となっている。
【００５５】
[バネによるレバーの押圧]
図９（ａ）に示すように、バネ９２はトーションバネにて構成されており、レバー９１内部の第１係止部９１ｄと第２係止部９１ｅとの間に圧縮状態で介装され、当接端部９２ａがレバー９１の下面９１ｃから下方に突出している。
スイッチ操作用カム部８２ａが下面９１ｃに当接することにより上方回動されたレバー９１は、スイッチ操作用カム部８２ａがバネ９２の当接端部９２ａに乗り上げる前においては、まだインターロックスイッチ５７の凸部５７ｂに当接しておらず、スイッチ操作用カム部８２ａの当接部９１ｂと凸部５７ｂとの間には隙間が存在している。
【００５６】
この状態からスイッチ操作用カム部８２ａがバネ９２の当接端部９２ａに乗り上げると、図９（ｂ）に示すように、当接端部９２ａが上方へ押し上げられ、レバー９１が上方へ回動して当接位置に変位し、当接部９１ｂと凸部５７ｂとが当接する。
この場合、当接端部９２ａは、レバー９１が当接位置に変位した後もスイッチ操作用カム部８２ａにより上方へ押し上げられて第２係止部９１ｅから離間し、バネ９２が圧縮される。これにより、レバー９１はバネ９２により上方へ付勢され、当接部９１ｂはバネ９２の付勢力により凸部５７ｂに押圧されることとなる。
【００５７】
スイッチ操作用カム部８２ａによりレバー９１を上方へ回動させる場合、スイッチ操作用カム部８２ａによるレバー９１の上方への変位量には、カム部材８２やレバー９１等の寸法誤差によりばらつきが生じる。
しかし、本実施形態のように、レバー９１をバネ９２により上方へ付勢して、当接部９１ｂがバネ９２の付勢力により凸部５７ｂに押圧されるように構成することで、スイッチ操作用カム部８２ａによるレバー９１の凸部５７ｂ側への変位量のばらつきをバネ９２により吸収して、レバー９１により確実に凸部５７ｂを押圧することができ、インターロックスイッチ５７の作動精度の低下を抑制することが可能となっている。
【００５８】
[レバーの当接部とインターロックスイッチの凸部及び側部フレームの規制面との関係]
図１０、図１１に示すように、凸部５７ｂに当接するレバー９１の当接部９１ｂは、レバー９１の上面から上方に突出し、左右方向に延出するリブ形状に形成されている。
インターロックスイッチ５７の左右方向内側には、側部フレーム２４の規制面２４ｂが配置されている。規制面２４ｂは規制部の一例である。
【００５９】
規制面２４ｂは下方に臨む面であり、凸部５７ｂが、インターロックスイッチ５７がオンするまでスイッチ本体５７ａに没入したときの、凸部５７ｂの下端の高さ位置と同じ位置に配置されている。また、規制面２４ｂは、レバー９１が上方へ回動した際に当接部９１ｂが当接する位置に配置されている。
【００６０】
従って、レバー９１が上方回動して当接部９１ｂが凸部５７ｂに当接し、凸部５７ｂがスイッチ本体５７ａに没入してインターロックスイッチ５７がオンした時点で、当接部９１ｂは規制面２４ｂに当接することとなる。当接部９１ｂが規制面２４ｂに当接すると、レバー９１はそれ以上上方へ回動することが規制され、インターロックスイッチ５７は、オンした後にレバー９１によりさらに上方へ押圧されることがない。
【００６１】
つまり、レバー９１を上方回動させてインターロックスイッチ５７の凸部５７ｂを押圧した場合、レバー９１からの押圧力を、インターロックスイッチ５７のみで支持するのではなく、規制面２４ｂにおいても支持することが可能となっている。
【００６２】
従って、インターロックスイッチ５７にかかるレバー９１からの押圧力は、凸部５７ｂをスイッチ本体５７ａに没入させるのに必要な押圧力程度となり、インターロックスイッチ５７にかかるレバー９１からの押圧力が小さくなっている。
これにより、レバー９１からの押圧力によりスイッチ本体９１ａの側部フレーム２４に対する取り付け位置がずれることを抑制し、インターロックスイッチ５７の作動精度を保持することが可能となっている。
【００６３】
特に、レバー９１が凸部５７ｂと規制面２４ｂとに当接する際には、凸部５７ｂと規制面２４ｂとには、共にリブ状の当接部９１ｂが当接することとなるため、レバー９１が凸部５７ｂに当接する位置と、レバー９１が規制面２４ｂにより回動動作を規制される位置との間の誤差を小さくすること可能となっている。
【００６４】
また、規制面２４ｂは、凸部５７ｂに対して、レバー９１の回動方向である上下方向と直交する方向である左右方向に並設されているため、規制面２４ｂを凸部５７ｂの近くに配置することが可能となっている。
【００６５】
[本実施形態おける効果] 
本実施形態においては、画像形成装置１は上述のように構成されている。
つまり、画像形成装置１は、開口部２Ａを有する筐体２と、開口部２Ａを塞ぐ閉位置と開口部２Ａを開放する開位置との間で変位するフロントカバー２１と、スイッチ本体５７ａとスイッチ本体５７ａに対して出没可能な凸部５７ｂとを有し、筐体２の側部フレーム２４に取り付けられるインターロックスイッチ５７と、凸部５７ｂと直接的又は間接的に当接可能であり、フロントカバー２１の変位に連動して、凸部５７ｂに当接する当接位置と凸部５７ｂから離間する離間位置との間で変位するレバー９１とを備え、側部フレーム２４は、レバー９１が前記当接位置に変位したときに、凸部５７ｂがスイッチ本体５７ａに没入する方向へのレバー９１の変位動作を規制する規制面２４ｂを備える。
【００６６】
このような構成により、フロントカバー２１の変位に連動してインターロックスイッチ５７の凸部５７ｂにレバー９１が当接し、凸部５７ｂが押された状態となるが、レバー９１からの押圧力をインターロックスイッチ５７だけで支持するのではなく、側部フレーム２４の規制面２４ｂによっても支持することが可能となる。従って、インターロックスイッチ５７にかかるレバー９１からの押圧力を低減して、側部フレーム２４に対するインターロックスイッチ５７の位置ずれを抑制することができ、インターロックスイッチ５７の作動精度を保持することが可能となる。
【００６７】
また、規制面２４ｂは、凸部５７ｂに対して、レバー９１の変位方向と直交する方向に並設される。
これにより、規制面２４ｂを、凸部５７ｂに対してレバー９１の変位方向と直交する方向の近くに配置することができ、レバー９１の変位動作を規制する位置の精度を向上させることができる。
【００６８】
また、レバー９１は、凸部５７ｂと直接的に当接可能である。
一般的に、インターロックスイッチ５７は凸部５７ｂに当接する板バネを有しており、レバー９１は板バネを介して凸部５７ｂに当接して凸部５７ｂを押圧するように構成されている。この場合、板バネはスイッチ本体５７ａに取り付けられており、スイッチ本体５７ａに対する取付位置の誤差を有しているため、取付位置の誤差の大きさによっては、インターロックスイッチ５７の作動精度が低下するおそれがある。しかし、レバー９１と凸部５７ｂとが板バネを介して当接するのではなく、レバー９１と凸部５７ｂとが直接的に当接するように構成することで、レバー９１の凸部５７に対する当接位置の誤差を小さくして、インターロックスイッチ５７の作動精度を保持することが可能となる。
【００６９】
また、レバー９１は、凸部５７ｂと規制面２４ｂとに当接可能なリブ状の当接部９１ｂを有する。
これにより、レバー９１が凸部５７ｂと規制面２４ｂとの両方に当接する当接部９１ｂを有することにより、レバー９１が凸部５７ｂと当接する位置と、レバー９１が規制面２４ｂにより変位動作を規制される位置との間の誤差を小さくすることができ、インターロックスイッチ５７の作動精度を低下させることがない。
【００７０】
また、画像形成装置１は、画像形成部５と、画像形成部５を駆動するモータ１１と、画像形成部５とモータ１１とを連結する連結位置と、画像形成部５とモータ１１との連結を解除する解除位置との間で変位するカム部材８２と、カム部材８２のスイッチ操作用カム部８２ａとフロントカバー２１とを連結し、フロントカバー２１の変位に連動してカム部材８２を変位させるリンク部材８１とを備え、カム部材８２が解除位置に変位すると、レバー９１はスイッチ操作用カム部８２ａと当接して当接位置に変位する。
【００７１】
これにより、画像形成部５とモータ１１との連結及び連結解除を行う部材（駆動力断続用カム部８２ｂ）と、インターロックスイッチ５７の凸部５７ｂに当接するレバー９１を変位させる部材（スイッチ操作用カム部８２ａ）とを、カム部材８２により兼用することができるとともに、画像形成部５とモータ１１との連結及び連結解除の動作と、インターロックスイッチの作動とを連動させることができる。
【００７２】
また、レバー９１には、カム部材８２に突出し、カム部材８２のスイッチ操作用カム部８２ａと当接可能なバネ９２が設けられており、バネ９２は、スイッチ操作用カム部８２ａと当接することによりレバー９１を凸部５７ｂ側へ付勢する。
これにより、スイッチ操作用カム部８２ａによるレバー９１の凸部５７ｂ側への変位量の寸法誤差を、バネ９２により吸収して、インターロックスイッチ５７の作動精度の低下を抑制することが可能となる。
【００７３】
また、レバー９１とスイッチ操作用カム部８２ａとが当接する際の、レバー９１の変位方向とスイッチ操作用カム部８２ａの変位方向とは、互いに交差する方向である。
これにより、スイッチ操作用カム部８２ａによるレバー９１の凸部５７ｂ側への変位量の寸法誤差を減少させて、インターロックスイッチ５７の作動精度の低下を抑制することができる。
【００７４】
また、カム部材８２は、回動軸Ｐを中心として回動することにより連結位置と解除位置との間で変位し、レバー９１は、回動軸Ｐとは異なる回動軸９１ａを中心として回動することより、当接位置と離間位置との間で変位する。
これにより、カム部材８２のスイッチ操作用カム部８２ａによるレバー９１の凸部５７ｂ側への変位量の寸法誤差が減少し、インターロックスイッチ５７の作動精度の低下を抑制することが可能となる。
【符号の説明】
【００７５】
１    画像形成装置
２    筐体
２Ａ  開口部
５    画像形成部
１１    モータ
２１    フロントカバー
２４    側部フレーム
２４ａ  カム支持部
２４ｂ  規制面
５７    インターロックスイッチ
５７ａ  スイッチ本体
５７ｂ  凸部
８１    リンク部材
８２    カム部材
８２ａ  スイッチ操作用カム部
８２ｂ  駆動力断続用カム部
８５    カップリング部材
９１    レバー
９１ａ  回動軸（第２回動軸）
９１ｂ  当接部
９１ｃ  下面
９２    バネ
９２ａ  当接端部
Ｐ    回動軸（第１回動軸）
【図１】
2018041043.tif 000003
【図２】
2018041043.tif 000004
【図３】
2018041043.tif 000005
【図４】
2018041043.tif 000006
【図５】
2018041043.tif 000007
【図６】
2018041043.tif 000008
【図７】
2018041043.tif 000009
【図８】
2018041043.tif 000010
【図９】
2018041043.tif 000011
【図１０】
2018041043.tif 000012
【図１１】
2018041043.tif 000013